(57)【要約】
【課題】  構造が簡単で、使いやすい多機能ソファベッドを提供する。
【解決手段】  マット４、支えフレーム７およびソファの脚５が順次に連接され、背もたれ１は、背もたれ１の下において、少なくとも２個以上の連接器６で支えフレーム７に固定され、背もたれ１は、コイルスプリング３とスポンジ２から構成される多機能ソファベッドとする。
【選択図】  図３
0003100678.tif 000002
【実用新案登録請求の範囲】
【請求項１】
マット、支えフレームおよびソファの脚が順次に連接され、
背もたれは、背もたれの下において、少なくとも２個以上の連接器で支えフレームに固定され、
背もたれは、コイルスプリングとスポンジから構成されることを特徴とする多機能ソファベッド。
【請求項２】
前記背もたれは、Ｌ字形状であって、かつ前記マットと合わせて長方形にできることを特徴とする請求項１記載の多機能ソファベッド。
【請求項３】
前記背もたれの下面は、４個の４段切り替えの前記連接器にて、前記支えフレームに固定されていることを特徴とする請求項１または２記載の多機能ソファベッド。
【請求項４】
略L字形状のマットと、
略L字形状の背もたれと、
を一枚の四角形のベッドを構成する形状に設け、
上記マットの下面に設けられ、上記マットを支える支えフレームと、
上記支えフレームの下に接続され、床と接する脚と、
上記背もたれと上記支えフレームとの間を繋ぐ連接器であって、上記背もたれの高さを変えるための連接器と、
を、さらに備え、
上記連接器は、それを倒した状態において、上記背もたれを上記マットと同じ高さとして、本体を四角形のベッドとし、それを立てた状態において、上記背もたれを上記マットより上方に配置させて、本体をソファとすることを特徴とする多機能ソファベッド。
【請求項５】
前記連接器は、１つ以上の関節を備え、
その関節は、多段階に固定でき、前記背もたれの高さを多段階に変えることができる構成としたことを特徴とする請求項４記載の多機能ソファベッド。
【考案の詳細な説明】
【技術分野】
【０００１】
本考案は、ソファとベッドの両機能を併せ持つソファベッドに関する。
【背景技術】
【０００２】
ソファベッドは、ソファとベッドの両種機能を併せ持つ家具である。ソファベッドは、多機能で、かつ実用性があり、消費者にとても人気のある商品である。現在市場に出回っているソファベッドの切り替えは、背もたれとアームの上下動によって行われている。また、ベッドを複数の区分に分割し、ベッドの端部にある区分を折り曲げることによって、ソファに変えるソファベッドも知られている（例えば、特許文献１参照）。
【０００３】
【特許文献１】特開２０００−６０６８３（要約書）
【考案の開示】
【考案が解決しようとする課題】
【０００４】
しかし、上記のソファベッドは、このようなソファベッドは、複雑な構造を有しており、ソファとベッドとの切り替えが面倒であり、かつ特定の利用者にしか対応できないという欠点を有している。
【０００５】
本考案の目的は、構造が簡単で、使いやすい多機能ソファベッドを提供することにある。
【課題を解決するための手段】
【０００６】
本発明は、上記目的を達成すべくなされたものであり、マット、支えフレームおよびソファの脚が順次に連接され、背もたれは、背もたれの下において、少なくとも２個以上の連接器で支えフレームに固定され、背もたれは、コイルスプリングとスポンジから構成される多機能ソファベッドとしている。
【０００７】
また、別の本発明は、さらに、背もたれがＬ字形状であって、かつマットと合わせて長方形にできる多機能ソファベッドとしている。
【０００８】
また、別の本発明は、背もたれの下面は、４個の４段切り替えの連接器にて、支えフレームに固定された多機能ソファベッドとしている。
【０００９】
また、別の本発明は、略L字形状のマットと、略L字形状の背もたれとを一枚の四角形のベッドを構成する形状に設け、マットの下面に設けられ、マットを支える支えフレームと、支えフレームの下に接続され、床と接する脚と、背もたれと支えフレームとの間を繋ぐ連接器であって、背もたれの高さを変えるための連接器とを、さらに備え、連接器は、それを倒した状態において、背もたれをマットと同じ高さとして、本体を四角形のベッドとし、それを立てた状態において、背もたれをマットより上方に配置させて、本体をソファとする多機能ソファベッドとしている。
【００１０】
また、別の本発明は、連接器に１つ以上の関節を備え、その関節は、多段階に固定でき、背もたれの高さを多段階に変えることができる多機能ソファベッドとしている。
【考案の効果】
【００１１】
本考案は、現有のソファベッドよりも、構造が簡単で、両種機能を簡単に変換しやすいという特徴を有し、どの利用者にも使いやすいという効果を有している。
【考案を実施するための最良の形態】
【００１２】
本考案の目的は、次のようなことを実現することにある。
【００１３】
本考案のソファベッドはマットと鉄のフレームからなり、その特徴は、マット、支えフレームおよびソファの脚が繋がっており、背もたれの下面は、少なくとも２個以上の連接器にて支えフレームに固定されている。したがって、背もたれが連接器の軸を中心に左右に平行移動できる。背もたれは、コイルスプリングおよびスポンジから構成されている。本考案をソファとして使用する場合には、背もたれを最高位置に移動させ、ベッドとして使用する場合には、背もたれを最低位置に移動させて、背もたれとマットによって一つの平面を構成する。
【００１４】
図面により本考案を説明する。
【００１５】
マット４、支えフレーム７およびソファの脚５が順次連接され、背もたれ１はＬ字形状であって、Ｌ字形状の背もたれ１はマット４と矩形にできる。Ｌ字形状の背もたれ１の下面は、４個の４段切り替えの連接器６にて支えフレーム７の上に固定される。これによって、背もたれ１が連接器６の軸を中心に左右に平行できる。４段切り替えの連接器６を用いているので、４種類の高さ調節が可能であり、本考案は様々な需要に応えることができる。また、背もたれ１は、コイルスプリング３とスポンジ２とから構成されている。本考案をソファとして使用する場合には、背もたれ１を最高位置に移動させ、ベッドとして使用する場合には、背もたれ１を最低位置に移動させて、背もたれ１とマット４によって一つの平面を構成する。
【００１６】
なお、連接器６は、４段階に切り替えができるものに限定されず、２段階、３段階あるいは５段階以上に多段階切り替えできるものでも良い。また、連接器６は、無段階に切り替えできるものでも良い。さらに、マット４と背もたれ１とは、互いに四角形を形成できる形状であれば、略Ｌ字形状以外の形状でも良い。例えば、マット４および背もたれ１を、それぞれ、四角形の対角線で切り分けた２つの三角形としても良い。また、マット４および背もたれ１を合わせた時に、長方形ではなく、正方形を形成するようにしても良い。
【００１７】
本発明の多機能ソファベッドの構成を採用すると、ベッドとソファとの切り替えが容易になる。特に、背もたれ１を略Ｌ字形状とすることによって、複数人が略９０度の向きで座るソファを形成できる。また、背もたれ１を４段階の高さに可変できるようにする連接器６を採用することにより、背もたれ１を最下位置に配置させたベッドと、背もたれ１を最高位置に配置させた大人用のソファと、背もたれ１を２番目に高い位置および３番目に高い位置に配置させた子供あるいは老人用のソファとを自由自在に形成できる。また、連接器６を５段階以上の構造としたり、あるいは無段階可変の構造とすることにより、多種多様の人に合ったソファを形成可能である。
【図面の簡単な説明】
【００１８】
【図１】本考案をソファとした状態を前から見た図である。
【図２】本考案をベッドにした状態の図である。
【図３】本考案をソファとした状態を後ろから見た図である。
【符号の説明】
【００１９】
１    背もたれ
２    スポンジ
３    コイルスプリング
４    ベッド
５    ソファの脚
６    連接器
７    支えフレーム
【図１】
0003100678.tif 000003
【図２】
0003100678.tif 000004
【図３】
0003100678.tif 000005